(57)【要約】【課題】外壁面等が汚れたり外観の見栄えを損なったりすることがない。【解決手段】オーバーフロー排水システムは、ベランダ１の床面５の溝部８に設けられていて床面５上の排水を排出する竪樋と、床面５の竪樋から離間した位置に設けられ、竪樋より高い水位の排水を排出可能な第一のオーバーフロー排水部材１０とを備えた。第一のオーバーフロー排水部材１０は、床面５と軒天１２を貫通すると共に竪樋の上部開口より高い位置に流入開口２５を設けたドレン本体１６と、ドレン本体１６の下部に設けて排水の吐出方向を制御するキャップ２２と、を設けた。キャップ２２は中央旋回筒と第一旋回筒と第二旋回筒を同心円状に配設し、これらの間の各空間を通して同心円状に排水を排出する。第一のオーバーフロー排水部材１０は溝部８内の排水勾配の上流側に設けた。第二のオーバーフロー排水部材１１は床面５のサッシ近傍で排水勾配の上流側に設けた。【選択図】図３
2020029743.tif 000002
【特許請求の範囲】
【請求項１】
床面に設けられていて床面上の排水を排出する主排水部材と、
前記床面の前記主排水部材から離間した位置に設けられていて前記主排水部材より高い水位の排水のみを排出可能なオーバーフロー排水部材と、
を備え、前記オーバーフロー排水部材の前記床面を貫通する下部に排水の吐出方向を制御する排水調整部材を設けたことを特徴とするオーバーフロー排水システム。
【請求項２】
前記排水調整部材は、排水を同心円状に吐出させる規制吐出部である請求項１に記載されたオーバーフロー排水システム。
【請求項３】
前記排水調整部材は、排水を螺旋状に旋回させながら吐出させる螺旋吐出部である請求項１に記載されたオーバーフロー排水システム。
【請求項４】
前記排水調整部材は、排水を中心から偏った方向に吐出させる偏心吐出部である請求項１に記載されたオーバーフロー排水システム。
【請求項５】
請求項１から４のいずれか１項に記載のオーバーフロー排水システムが設けられ、
前記床面として、室内から室外に出るための延長床面を備えることを特徴とするベランダ。
【発明の詳細な説明】
【技術分野】
【０００１】
本発明は、屋外に設けたベランダやバルコニー等の床面から排水を行うためのオーバーフロー排水システム及びベランダに関する。
【背景技術】
【０００２】
従来、屋外のベランダ等では、床面に窓や外壁等から離間した腰壁等の真下に雨水等の排水を誘導するための溝部が設けられている。この溝部の端部には排水を下方に流すための竪樋の上部開口が設置され、竪樋はベランダの床面から軒天を貫通して下方に延びている。
【０００３】
しかし、集中豪雨やゲリラ豪雨等が発生すると、竪樋だけではベランダの床面に降りそそぐ大量の雨水を処理しきれないため雨水が床面に溜まってしまい、オーバーフローして障子等を通して室内に浸入する恐れが生じる。竪樋が落ち葉やごみ等で詰まった場合にも同様な現象が起こる。
この場合、腰壁を貫通させてオーバーフローキャップを水平方向外側に突出させ、雨水を排出するようにしたものもあるが、腰壁の壁面が汚れてしまい、見栄えも悪いという欠点があった。
このような不具合を改善する装置として、例えば特許文献１に記載された建物の屋外床部の排水構造が提案されている。この排水構造では、ベランダの腰壁側の床面に形成された溝部の一方の端部に開口を有する通常の排水装置として竪樋を設け、他方の端部にオーバーフロー用排水装置を設けている。
【０００４】
オーバーフロー用排水装置は排水管が床面を有する軒天を貫通して下端の開口が形成されていると共に、排水管の上端が竪樋より上方に延びてその上端の半球部近傍に長穴からなる排水口が設けられている。排水口は竪樋より高い位置に形成され、床面に滞留する雨水の水面が排水口の高さに達した場合にのみ排水処理を行っている。
そのため、集中豪雨やゲリラ豪雨等の際に、雨水が溜まってベランダの水位が上昇したとしても、竪樋とは別に設けたオーバーフロー用排水装置によって下方に排水することで、雨水が室内に浸入することを抑制している。  
【先行技術文献】
【特許文献】
【０００５】
【特許文献１】特開平１１-１４８２０５号公報
【発明の概要】
【発明が解決しようとする課題】
【０００６】
ところで、上述した特許文献１のオーバーフロー用排水装置では、排水管がベランダの軒天を貫通した下端部に開口が設けられているため、排水管の下端部の開口から排出される排水が周辺の外壁面等に飛散したり、飛散した排水が伝い水となって外壁面等を流れたりすることがあった。そのため、排水で外壁面等が汚れてしまう問題が生じる。また、排水管のオーバーフローキャップを腰掛等に取り付ける場合には、壁面を汚す上に外観の見栄えを損なうというおそれもあった。
【０００７】
本発明は、このような問題点に鑑みてなされたものであり、排水で外壁面等が汚れたり外観の見栄えを損なったりすることがないようにしたオーバーフロー排水システム及びベランダを提供することを目的とする。
【課題を解決するための手段】
【０００８】
本発明によるオーバーフロー排水システムは、床面に設けられていて床面上の排水を排出する主排水部材と、床面の主排水部材から離間した位置に設けられていて主排水部材より高い所定高さ以上の水位の排水を排出可能なオーバーフロー排水部材と、を備え、オーバーフロー排水部材は床面を貫通した下部に排水の吐出方向を制御する排水調整部材を設けたことを特徴とする。
本発明によれば、床面に設置した主排水部材の上部開口より高い水位の排水をオーバーフロー排水部材を通して排出でき、しかもオーバーフロー排水部材は床面を貫通して設置してその下部に排水調整部材を設けたため、外壁面を汚さないように排水の吐出方向を制御できる。
【０００９】
また、排水調整部材は、排水を同心円状に吐出させる規制吐出部であることが好ましい。
オーバーフロー排水部材の下部の規制吐出部によって排水を同心円状に吐出させることで、排水の飛散を制限して下方に落下させて外壁面を汚す等の不具合を防止できる。
【００１０】
また、排水調整部材は、排水を螺旋状に旋回させながら吐出させる螺旋吐出部であることが好ましい。
オーバーフロー排水部材の下部の螺旋吐出部によって排水を螺旋状に旋回させながら吐出することで、排水の飛散を阻止して真下に落下させて外壁面を汚す等の不具合を防止できる。
【００１１】
また、排水調整部材は、排水を中心から偏った方向に吐出させる偏心吐出部であることが好ましい。
オーバーフロー排水部材の下部の偏心吐出部によって排水を外壁面から離れた偏った方向に吐出することで、排水が外壁面を汚す等の不具合を防止できる。
【００１２】
また、本発明によるベランダは、上述したいずれかに記載されたオーバーフロー排水システムが設けられ、床面として、室内から室外に出るための延長床面を備えることを特徴とする。
【発明の効果】
【００１３】
本発明によるオーバーフロー排水システム及びベランダは、オーバーフロー排水部材の下部に排水の吐出方向を制御する排水調整部材を設けたため、排水調整部材を通して排出される排水が外壁面等に飛散したり偏ったりすることを阻止することができる。しかも、オーバーフロー排水部材はその下部に設けた排水調整部材を通して排水するため、外観の見栄えを損なうことを防止できる。
【図面の簡単な説明】
【００１４】
【図１】本発明の実施形態によるオーバーフロー排水システムにおいて、ベランダに設けた竪樋とオーバーフロー排水部材を示す要部平面図である。
【図２】図１に示す排水管を示すもので、（ａ）は竪樋の断面図、（ｂ）は第一のオーバーフロー排水部材の断面図、（ｃ）は第二のオーバーフロー排水部材の断面図である。
【図３】オーバーフロー排水部材の縦断面図である。
【図４】図３に示すオーバーフロー排水部材の分解斜視図である。
【図５】オーバーフロー排水部材のキャップを示すもので、（ａ）は上方から見た斜視図、（ｂ）は下方から見た斜視図である。
【図６】（ａ）はソケットとキャップの締め込み構造を示す部分断面図、（ｂ）はキャップを緩める方向に回す説明図、（ｃ）はキャップを締め込む方向に回す説明図である。
【図７】第一変形例によるキャップを示すもので、(a)は上方から見た斜視図、（ｂ）は下方から見た斜視図である。
【図８】オーバーフロー排水部材の第一変形例によるキャップから排出される排水を示す図である。
【図９】第二変形例によるキャップを示すもので、(a)は上方から見た斜視図、（ｂ）は下方から見た斜視図である。
【図１０】オーバーフロー排水部材の第二変形例によるキャップから排出される排水を示す図である。
【発明を実施するための形態】
【００１５】
以下、本発明の実施形態によるオーバーフロー排水システムについて添付図面により説明する。
図１において、本実施形態によるベランダ１は、例えば住宅用建物２の２階以上に設置され、室内３とベランダ１とは例えば内障子４ａ及び外障子４ｂを備えた引き戸タイプのサッシ４またはドア等を出入り口として仕切られている。ベランダ１は、建物の室内３から室外にでるための延長床面であり、サッシ４の出入り口の内障子４ａまたは外障子４ｂ、ドア等を開くことで出入りできる。
【００１６】
ベランダ1は、コンクリート製の床面５と、出入り口のサッシ４またはドアと反対方向の屋外側に設けた腰壁６とを備えている。腰壁６に代えて柵等を設置してもよい。床面５において、腰壁６の下部に沿って雨水等の排水を集めるための溝部８が形成されている。床面５は、サッシ４側から溝部８に向けて下り傾斜する排水勾配が形成され、しかも図１で左側から右側に向けて下り傾斜する排水勾配が形成されている。
溝部８における排水勾配の下方側に主排水部材として竪樋９が設置され、竪樋９から離間した排水勾配の上方側には第一のオーバーフロー排水部材１０が設置されている。更に、床面５の第一のオーバーフロー排水部材１０に対向するサッシ４に隣接する壁面の近傍には第二のオーバーフロー排水部材１１が設置されている。
【００１７】
図２（ａ）はベランダ１における竪樋９の縦断面を示す図である。竪樋９はベランダ１の床面５の溝部８から軒天１２を貫通して下方に延びており、軒天１２の下方に突出する位置でエルボー等を介して建物の外壁面１３側に傾斜して外壁面１３に沿って下方に延びている。竪樋９は上部開口９ａが溝部８内に開口し、その上部に枯れ葉やごみ等の侵入を防ぐ屋根部９ｂが設けられていてもよい。そのため、ベランダ１の床面５に降り注ぐ雨水は排水勾配に沿って溝部８に落下し、溝部８内では排水勾配に沿って竪樋９に向けて流れて上部開口９ａから下方に流される。
【００１８】
図２（ｂ）に示す第一のオーバーフロー排水部材１０は、ベランダ１の床面５の溝部８内に設置され、床面５及び軒天１２を貫通して下方に延びている。第一のオーバーフロー排水部材１０の上端開口は竪樋９の上部開口９ａより高くサッシ４の下枠以下の高さに設けられている。第一のオーバーフロー排水部材１０の下部開口は軒天１２の下面から突出した位置に設けられている。
図２（ｃ）に示す第二のオーバーフロー排水部材１１は、ベランダ１の床面５におけるサッシ４の近傍に設置され、床面５及び軒天１２を上下方向に貫通している。第二のオーバーフロー排水部材１１の上端開口は竪樋９の上部開口９ａより高くサッシ４の下枠以下の高さに設けられている。第二のオーバーフロー排水部材１１の下端開口は軒天１２の下面から突出した位置に設けられている。
【００１９】
第一のオーバーフロー排水部材１０と第二のオーバーフロー排水部材１１は同一構成を有しており、いずれか一方だけを設けてもよい。以下、図３〜図５に基づいて第一のオーバーフロー排水部材１０の構造を代表して説明する。
【００２０】
第一のオーバーフロー排水部材１０は、溝部８内に設置される略筒状のドレン本体１６と、その下部に連結されたキャップ２２とを備え、キャップ２２は取り外し可能に装着されている。ドレン本体１６の上部開口１６ａには蓋部１９が設置されているが、蓋部１９は省略してもよい。
【００２１】
図４に示すように、ドレン本体１６は、上下に上部開口１６ａ、下部開口１６ｂを有する略円筒状に形成され、その上部に拡径して形成された上側拡径部１６ｃの外周面には雄ねじ部１６ｄが形成されている。上側拡径部１６ｃの下側には円筒部の周方向に沿って複数の流入開口２５が所定間隔で形成されている。ドレン本体１６は床面５及び軒天１２を貫通して軒天１２の下面から下方に突出している。ドレン本体１６は、軒天１２の下面から突出した下端部をなす円筒部の外周面に雄ねじ部１６ｅが形成されている。この雄ねじ部１６ｅにキャップ２２が締め込まれる。
【００２２】
蓋部１９は有蓋円筒状に形成され、その内周面には上側拡径部１６ｃの雄ねじ部１６ｄに螺合する雌ねじ部１９ａが形成されている。ドレン本体１６の上部開口１６ａに蓋部１９を装着した状態で、ドレン本体１６の外周面と蓋部１９の内周面との間には全周に亘って間隙ｓが形成されている(図３参照)。流入開口２５の高さは、床面５より高くサッシ４の下枠部分以下であることが好ましい。
そのため、ベランダ１に降り注ぐ雨水が床面５上に溜まり水面高さがドレン本体１６の流入開口２５を超えると、その内部に流入して下方から排出される。なお、ドレン本体１６に蓋部１９を設けることで、上部開口１６ａから枯れ葉やごみ等が流入することを阻止できる。
【００２３】
ドレン本体１６がベランダ１の溝部８に形成された穴部に挿入された際、ドレン本体１６の下部の雄ねじ部１６ｅが軒天１２の下方に突出する位置で固定される。しかも、ドレン本体１６は、流入開口２５がベランダ１の床面５より上方でサッシ４の下枠以下の位置になるように取り付けられる。
【００２４】
ドレン本体１６の下部に設けた雄ねじ部１６ｅに螺合するキャップ２２は薄型で略円筒形状であり、図５（ａ）、（ｂ）に示すように、略円筒状の外周面部２４ａとその内部に固定された略円板状の排水口部２４ｂとの２部材で形成されているが、一体に形成してもよい。外周面部２４ａと排水口部２４ｂを別部材で構成すると、固定前に排水口部２４ｂの角度位置を調整できる。外周面部２４ａと排水口部２４ｂの固定はねじ止めや接着剤や嵌合や係止等、適宜の固定手段を採用できる。
【００２５】
外周面部２４ａは上端部がフランジ状に拡径しており、その内面に雌ねじ部２２ａが形成されている。この雌ねじ部２２ａはドレン本体１６の雄ねじ部１６ｅと螺合可能である。その内部の排水口部２４ｂでは、小径筒状の中央旋回筒２２ｂ、その外側の第一旋回筒２２ｃ、第二旋回筒２２ｄが同心円状に形成され、半径方向に延びるリブ２２ｅによって連結されている。リブ２２ｅは周方向に適宜の間隔で形成されている。中央旋回筒２２ｂ、第一旋回筒２２ｃ、第二旋回筒２２ｄは排水の整流化を促す整流部材である。
【００２６】
そのため、中央旋回筒２２ｂ内の円形の空間ｋ１、中央旋回筒２２ｂと第一旋回筒２２ｃの間のリング状の空間ｋ２、第一旋回筒２２ｃと第二旋回筒２２ｄの間のリング状の空間ｋ３、第二旋回筒２２ｄと排水口部２４ｂの外周壁の間の空間ｋ４、が同心円状に形成されている。そして、第一のオーバーフロー排水部材１０の上方から流入する雨水の流れを、各空間ｋ１、ｋ２、ｋ３、ｋ４を通して同心円状に制御して整流化させて下方に落下させることができる。
キャップ２２における同心円状の各空間ｋ１、ｋ２、ｋ３、ｋ４は排水開口２６を形成する。そのため、キャップ２２から落下する雨水が中央に集合させられて真下に流れ落ち、周囲に飛散することを抑制し、不規則に偏って外壁面１３等に付着したりすることを阻止できる。
【００２７】
図６は、ドレン本体１６とキャップ２２の緩み防止構造を示すものである。
図６（ａ）〜（ｃ）において、ドレン本体１６の下部の雄ねじ部１６ｅの下端部に第一凸部２８が形成され、キャップ２２の雌ねじ部２２ａの下側に形成された段部には、第一凸部２８に係合可能な第二凸部２９が形成されている。第一凸部２８と第二凸部２９は、それぞれ一方向の傾斜が緩やかで他方の傾斜が急峻な、一方向に傾く凸部形状を有している。しかも、第一凸部２８と第二凸部２９は傾斜の緩やかな傾斜面２８ａ，２９ａと急峻な傾斜面２８ｂ、２９ｂとが対向する位置に設置されている。
【００２８】
そのため、図６（ｂ）、（ｃ）に示すように、キャップ２２をドレン本体１６に締め込む場合には、第二凸部２９の緩やかな傾斜面２９ａが第一凸部２８の緩やかな傾斜面２８ａを乗り越える。キャップ２２の雌ねじ部２２ａをドレン本体１６の雄ねじ部１６ｅに締め込んだ状態では、第一凸部２８と第二凸部２９の急峻な傾斜面２８ｂ、２９ｂ同士が当接することでキャップ２２の緩みを阻止できる。
【００２９】
なお、メンテナンス等のためにキャップ２２を取り外す場合には、ドレン本体１６の第一凸部２８の急峻な傾斜面２８ｂをキャップ２２の第二凸部２９の急峻な傾斜面２９ｂが乗り越えることで取り外しできる。その際、ドレン本体１６やキャップ２２は合成樹脂製であるため、第一凸部２８と第二凸部２９が弾性変形させられる。また、キャップ２２をドレン本体１６に対して相対回転させて着脱操作するため、ドレン本体１６に供回り防止ガイドを形成してもよい。
なお、第二のオーバーフロー排水部材１１も第一のオーバーフロー排水部材１０と同一の構成を有している。
【００３０】
本実施形態によるオーバーフロー排水システムは上述した構成を備えており、次にその作用について説明する。
通常の状態において、図１に示すように、ベランダ１に降った雨水は床面５の排水勾配に沿って流れて溝部８に流入し、溝部８の排水勾配に沿って竪樋９に流れる。竪樋９では、その上部開口９ａを介して下方に流れて外部に排出される。この場合、ベランダ１の床面５に溜まる雨水の水面高さは第一及び第二のオーバーフロー排水部材１０、１１のドレン本体１６に設けた各流入開口２５に届かないため、第一及び第二のオーバーフロー排水部材１０、１１を流れない。雨水は竪樋９から外部に排出される。
【００３１】
また、集中豪雨やゲリラ豪雨等によって短時間で集中的に多量の降雨が発生した場合、床面５上の雨水の水面が急上昇する。特に床面５の第一及び第二のオーバーフロー排水部材１０、１１を設けた排水勾配の高い領域で雨水の水位が急上昇し、ドレン本体１６の流入開口２５を超える。そのため、雨水は竪樋９だけでなく、第一及び第二のオーバーフロー排水部材１０、１１の各流入開口２５を通して流入し、ドレン本体１６内を落下する。
【００３２】
ドレン本体１６内に流入した雨水は、図２（ｂ）、（ｃ）及び図５に示すように、その下端部のキャップ２２の各空間ｋ１、ｋ２、ｋ３、ｋ４の排水開口２６を通して集合させられて同心円状に整流化され、真下に落下する。そのため、キャップ２２から外部に落下する排水は飛散しても飛散量が小さく、外壁面１３に雨水が付着することを抑制できる。キャップ２２から外部に落下する雨水は外壁面１３側に偏ったりすることなく、下方の地面に落下する。
【００３３】
なお、枯れ葉やごみ等が第一及び第二のオーバーフロー排水部材１０、１１に落下したとしても、ドレン本体１６に蓋部１９が設置されているため、上部開口１６ａで詰まることはない。
しかも、床面５を流れる雨水と共に枯れ葉やごみ等が第一及び第二のオーバーフロー排水部材１０、１１に流れ着いたとしても、各流入開口２５の周囲は蓋部１９で覆われているため、流入開口２５が枯れ葉やごみ等で詰まることを阻止できる。
【００３４】
竪樋９の集水器のあたりが枯れ葉やごみ等で詰まった場合でも、床面５の水面が上昇するため、第一及び第二のオーバーフロー排水部材１０、１１の各ドレン本体１６内に設けた流入開口２５から雨水が流入して、キャップ２２から排出される。本実施形態によるオーバーフロー排水システムは、第一及び第二のオーバーフロー排水部材１０、１１が外壁面１３から離れている場合に好適である。
【００３５】
なお、床面５から第一及び第二のオーバーフロー排水部材１０、１１内の流入開口２５を通して各ドレン本体１６内に細かい枯れ葉やごみ等が排水と共に流入し、キャップ２２へ降下することがある。この場合、キャップ２２の中央旋回筒２２ｂ、その外側の第一旋回筒２２ｃ、第二旋回筒２２ｄが同心円状に形成されていて、中央旋回筒２２ｂ、第一旋回筒２２ｃ、第二旋回筒２２ｄとリブ２２ｅはその高さが異なるリブ形状である。そのため、その上端に枯れ葉やごみ等が付着しても中央旋回筒２２ｂ、第一旋回筒２２ｃ、第二旋回筒２２ｄで仕切られる各空間ｋ１、ｋ２、ｋ３、ｋ４の流路が確保され、水流が詰まることを阻止できる。
【００３６】
上述したように、本実施形態によるオーバーフロー排水システムによれば、集中豪雨等でベランダ１の床面５に降る雨水の水面が上昇した場合、竪樋９とは別に溝部８及び床面５の排水勾配の高い位置に設けた第一及び第二のオーバーフロー排水部材１０、１１を通して雨水を排水できる。また、竪樋９が枯れ葉やごみ等で詰まった場合も同様に第一及び第二のオーバーフロー排水部材１０、１１を通して雨水を排水できる。そのため、床面５をオーバーフローした雨水が居室側に流れ込むことを阻止できる。
このように、第一及び第二のオーバーフロー排水部材１０、１１を設けたことで、集中豪雨等で床面５上の水位が急上昇したとしても速やかに排出できるため、ベランダ１の床面５の傾斜を緩やかに形成できると共に床面５と室内３との段差を小さくすることができる。
【００３７】
しかも、第一及び第二のオーバーフロー排水部材１０、１１内に流入する雨水を、その下端部のキャップ２２に設けた中央旋回筒２２ｂ、第一旋回筒２２ｃ、第二旋回筒２２ｄによって同心円状に整流させて飛散が小さいように束ねて下方に放出することができる。そのため、キャップ２２から排出される排水が飛散して外壁面１３などを汚すことを阻止できる。
【００３８】
以上、本発明の実施形態によるオーバーフロー排水システムについて説明したが、本発明は上述の実施形態に限定されるものではなく、その趣旨を逸脱しない範囲で適宜変更可能である。なお、以下に、本発明の変形例について説明するが、上述した実施形態と同一または同様な部材、部分には同一の符号を用いてその説明を省略する。
【００３９】
図７（ａ）、（ｂ）及び図８は第一及び第二のオーバーフロー排水部材１０、１１における第一変形例によるキャップ３２を示すものである。
キャップ３２は、略円筒状の外周面部３３ａとその内部に固定された略円板状の排水口部３３ｂとで形成されている。排水口部３３ｂは略円筒状のリブを備えた中央円筒部３４と、その周囲に所定間隔で形成された径方向外側に延びる螺旋状をなす複数(例えば４個)のガイドリブ３５と、中央円筒部３４及びガイドリブ３５の間に形成された複数(例えば４個)の開口部３６と、を備えている。中央円筒部３４とガイドリブ３５の底部には底面が形成されているが、中央円筒部３４を貫通孔にして排水を落下させてもよい。中央円筒部３４とガイドリブ３５は整流化部材である。
【００４０】
そのため、第一及び第二のオーバーフロー排水部材１０、１１のドレン本体１６から落下する排水は、キャップ３２において、ガイドリブ３５にガイドされて螺旋状に流れて複数の開口部３６から下方に排出される。本第一変形例によるキャップ３２によれば、図８に示すように、排水口部３３ｂから螺旋状に流れ落ちる排水は、外側に広がって飛散することなく拡径しない状態で真下に落下する。
【００４１】
図９（ａ）、（ｂ）及び図１０は第一及び第二のオーバーフロー排水部材１０、１１における第二変形例によるキャップ３８を示すものである。
キャップ３８は、略円筒状の外周面部３９ａとその内部に固定された略円板状の排水口部３９ｂとで形成されている。排水口部３９ｂは底面４０ａにおいて例えば中心から偏った位置に開口部４０ｂが形成され、開口部４０ｂの上部には例えば直線状の複数のガイドリブ４１が所定間隔で平行に配列されている。キャップ３８は開口部４０ｂが外壁面１３から離間した位置にくるように取り付ける。ガイドリブ４１は整流化部材である。
【００４２】
そのため、第一及び第二のオーバーフロー排水部材１０、１１のドレン本体１６からキャップ３８に落下する排水は、キャップ３８において、複数のガイドリブ４１にガイドされて開口部４０ｂから下方に排出される。図１０に示すように、本第二変形例によるキャップ３８によれば、排水口部３９ｂの各開口部４０ｂから流れ落ちる排水は飛散するが、外壁面１３から離間する方向に排出されて下方に落下する。
【００４３】
上述した実施形態によるオーバーフロー排水システムにおいて、第一及び第二のオーバーフロー排水部材１０、１１をベランダ１の床面５における排水勾配の上流側で溝部８とサッシ４側近傍に設置したが、本発明はこのような構成に限定されない。例えば、第一のオーバーフロー排水部材１０と第二のオーバーフロー排水部材１１のいずれか一方を設置するだけでもよい。
【００４４】
また、第一及び第二のオーバーフロー排水部材１０、１１の下端部に設けたキャップ２２、３２、３８の排水開口２６について、３種類を開示したが、本発明はこのような構成に限定されない。キャップ２２、３２、３８の流れを規制する整流化部材の構造は任意に形成できる。或いは、キャップ２２の排水口部２４ｂとして先細または縮径となるテーパ状の筒体を下方に設けて吐出する水流を絞ってもよい。
【００４５】
上述した実施形態において、第一及び第二のオーバーフロー排水部材１０，１１からの排水の吐出を制御するキャップ２２は規制吐出部、キャップ３２は螺旋吐出部、キャップ３８は偏心吐出部に含まれ、これらは排水調整部材に含まれる。
なお、ベランダ１の床面５と軒天１２は一体形成されているが、別体で二層構造としてもよい。また、本発明はベランダ１の床面５だけでなく、バルコニーの床面に設けた主排水部材やオーバーフロー排水部材を有するオーバーフロー排水システムにも適用できる。
【符号の説明】
【００４６】
１  ベランダ
４  サッシ
５  床面
９  竪樋(主排水部材)
１０  第一のオーバーフロー排水部材
１１  第二のオーバーフロー排水部材
１２  軒天
１３  外壁面
１６  ドレン本体
１９  蓋部
２２、３２，３８  キャップ
２２ｂ  中央旋回筒
２２ｃ  第一旋回筒
２２ｄ  第二旋回筒
２５  流入開口
３４  中央円筒部
３５、４１  ガイドリブ
３６、４０ｂ  開口部
ｋ１、ｋ２、ｋ３、ｋ４  空間
【図１】
2020029743.tif 000003
【図２】
2020029743.tif 000004
【図３】
2020029743.tif 000005
【図４】
2020029743.tif 000006
【図５】
2020029743.tif 000007
【図６】
2020029743.tif 000008
【図７】
2020029743.tif 000009
【図８】
2020029743.tif 000010
【図９】
2020029743.tif 000011
【図１０】
2020029743.tif 000012